(57)【要約】  本発明は、ユーザーデバイスの測定パラメータの構成方法、ユーザーデバイス、ネットワークデバイス及びコンピュータ記憶媒体を開示し、ネットワーク側により構成された少なくとも１つフィルタ係数情報を取得することと、測定対象の関連情報及び前記少なくとも１つフィルタ係数情報に基づいて、測定に利用する目標フィルタ係数を決定することとを含む。
2021512555.tif 000002
【特許請求の範囲】
【請求項１】
ユーザーデバイスに応用されるユーザーデバイスの測定パラメータの構成方法であって、
ネットワーク側により構成された少なくとも１つフィルタ係数情報を取得することと、
測定対象の関連情報及び前記少なくとも１つフィルタ係数情報に基づいて、測定に利用する目標フィルタ係数を決定することとを含む
ことを特徴とするユーザーデバイスの測定パラメータの構成方法。
【請求項２】
前記少なくとも１つフィルタ係数は、デフォルトのフィルタ係数情報を少なくとも含む
ことを特徴とする請求項１に記載のユーザーデバイスの測定パラメータの構成方法。
【請求項３】
前記方法は、さらに、
ネットワーク側により構成された少なくとも１つ第１の参照フィルタ係数を取得することを含む
ことを特徴とする請求項１に記載のユーザーデバイスの測定パラメータの構成方法。
【請求項４】
前記ネットワーク側により構成された少なくとも１つフィルタ係数情報を取得することは、
ネットワーク側により構成された、少なくとも１つ次元の各次元に対応するフィルタ係数情報を取得することを含み、
前記フィルタ係数情報は、さらに、第１の参照フィルタ係数に対するフィルタ係数のオフセット値を含む
ことを特徴とする請求項３に記載のユーザーデバイスの測定パラメータの構成方法。
【請求項５】
前記フィルタ係数情報は、前記フィルタ係数が前記参照フィルタ係数よりも大きく、又は小さい指示情報を含む
ことを特徴とする請求項４に記載のユーザーデバイスの測定パラメータの構成方法。
【請求項６】
前記測定対象の関連情報及び前記少なくとも１つフィルタ係数情報に基づいて、測定に利用する目標フィルタ係数を決定することは、
前記測定対象に対応する次元と、測定する信号のタイプ及び周波数帯域とに基づいて、前記少なくとも１つフィルタ係数情報から選択して目標フィルタ係数情報を取得することと、
前記目標フィルタ係数情報に含まれるオフセット値、及び第１の参照フィルタ係数に基づいて、測定に利用する目標フィルタ係数を算出することとを含む
ことを特徴とする請求項４に記載のユーザーデバイスの測定パラメータの構成方法。
【請求項７】
前記ネットワーク側により構成された少なくとも１つフィルタ係数情報を取得することは、
ネットワーク側により構成された少なくとも１つフィルタ係数を取得することを含む
ことを特徴とする請求項１に記載のユーザーデバイスの測定パラメータの構成方法。
【請求項８】
前記測定対象の関連情報及び前記少なくとも１つフィルタ係数情報に基づいて、測定に利用する目標フィルタ係数を決定することは、
測定対象の識別情報に基づいて、前記少なくとも１つフィルタ係数から選択して測定に利用する目標フィルタ係数を取得することを含む
ことを特徴とする請求項７に記載のユーザーデバイスの測定パラメータの構成方法。
【請求項９】
前記方法は、さらに、
ネットワーク側により構成された第２の参照フィルタ係数を取得することを含む
ことを特徴とする請求項１に記載のユーザーデバイスの測定パラメータの構成方法。
【請求項１０】
前記ネットワーク側により構成された少なくとも１つフィルタ係数情報を取得することは、
ネットワーク側により構成された、少なくとも１つ次元の各次元に対応する少なくとも１つ因子又はオフセット値を取得することを含む
ことを特徴とする請求項９に記載のユーザーデバイスの測定パラメータの構成方法。
【請求項１１】
前記測定対象の関連情報及び前記少なくとも１つフィルタ係数情報に基づいて、測定に利用する目標フィルタ係数を決定することは、
測定対象に対応する次元情報に基づいて、目標因子又は目標オフセットを選択して取得することと、
選択された目標因子又は目標オフセットに基づいて、測定に利用する目標フィルタ係数を算出することとを含む
ことを特徴とする請求項１０に記載のユーザーデバイスの測定パラメータの構成方法。
【請求項１２】
前記選択された目標因子又は目標オフセットに基づいて、測定に利用する目標フィルタ係数を算出することは、
目標因子を選択する場合、第２の参照フィルタ係数を利用して前記目標因子に乗算して、測定に利用する目標フィルタ係数を取得することと、
目標オフセットを選択する場合、第２の参照フィルタ係数を利用して前記目標オフセットに加算して、測定に利用する目標フィルタ係数を取得することとを含む
ことを特徴とする請求項１１に記載のユーザーデバイスの測定パラメータの構成方法。
【請求項１３】
前記方法は、さらに、
目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されることを含む
ことを特徴とする請求項１〜１２のいずれか１項に記載のユーザーデバイスの測定パラメータの構成方法。
【請求項１４】
前記方法は、さらに、
ネットワーク側により構成されたフィルタ係数情報を取得しない時に、デフォルトのフィルタ係数を前記目標フィルタ係数とすることを含む
ことを特徴とする請求項１に記載のユーザーデバイスの測定パラメータの構成方法。
【請求項１５】
ネットワークデバイスに応用されるユーザーデバイスの測定パラメータの構成方法であって、
ユーザーデバイスに少なくとも１つフィルタ係数情報を構成することを含み、前記少なくとも１つフィルタ係数は、デフォルトのフィルタ係数情報を少なくとも含む
ことを特徴とするユーザーデバイスの測定パラメータの構成方法。
【請求項１６】
前記方法は、さらに、
ユーザーデバイスに少なくとも１つ第１の参照フィルタ係数を構成することを含む
ことを特徴とする請求項１５に記載のユーザーデバイスの測定パラメータの構成方法。
【請求項１７】
前記ユーザーデバイスに少なくとも１つフィルタ係数情報を構成することは、
ユーザーデバイスに少なくとも１つ次元の各次元に対応するフィルタ係数情報を構成することを含み、
前記フィルタ係数情報は、参照フィルタ係数に対するフィルタ係数のオフセット値を含む
ことを特徴とする請求項１６に記載のユーザーデバイスの測定パラメータの構成方法。
【請求項１８】
前記フィルタ係数情報は、前記フィルタ係数が前記参照フィルタ係数よりも大きく、又は小さい指示情報を含む
ことを特徴とする請求項１６に記載のユーザーデバイスの測定パラメータの構成方法。
【請求項１９】
前記ユーザーデバイスに少なくとも１つフィルタ係数情報を構成することは、
ユーザーデバイスに少なくとも１つフィルタ係数を構成することを含む
ことを特徴とする請求項１５に記載のユーザーデバイスの測定パラメータの構成方法。
【請求項２０】
前記方法は、さらに、
ユーザーデバイスに第２の参照フィルタ係数を構成することを含む
ことを特徴とする請求項１５に記載のユーザーデバイスの測定パラメータの構成方法。
【請求項２１】
前記ユーザーデバイスに少なくとも１つフィルタ係数情報を構成することは、
ユーザーデバイスに少なくとも１つ次元の各次元に対応する少なくとも１つ因子又はオフセット値を構成することを含む
ことを特徴とする請求項２０に記載のユーザーデバイスの測定パラメータの構成方法。
【請求項２２】
第１の通信ユニットと、第１の処理ユニットとを備えるユーザーデバイスであって、
前記第１の通信ユニットは、ネットワーク側により構成された少なくとも１つフィルタ係数情報を取得するように構成され、
前記第１の処理ユニットは、測定対象の関連情報及び前記少なくとも１つフィルタ係数情報に基づいて、測定に利用する目標フィルタ係数を決定するように構成される
ことを特徴とするユーザーデバイス。
【請求項２３】
前記少なくとも１つフィルタ係数は、デフォルトのフィルタ係数情報を少なくとも含む
ことを特徴とする請求項２２に記載のユーザーデバイス。
【請求項２４】
前記第１の通信ユニットは、ネットワーク側により構成された少なくとも１つ第１の参照フィルタ係数を取得するように構成される
ことを特徴とする請求項２２に記載のユーザーデバイス。
【請求項２５】
前記第１の通信ユニットは、ネットワーク側により構成された、少なくとも１つ次元の各次元に対応するフィルタ係数情報を取得するように構成され、
前記フィルタ係数情報は、さらに、第１の参照フィルタ係数に対するフィルタ係数のオフセット値を含む
ことを特徴とする請求項２４に記載のユーザーデバイス。
【請求項２６】
前記フィルタ係数情報は、前記フィルタ係数が前記参照フィルタ係数よりも大きく、又は小さい指示情報を含む
ことを特徴とする請求項２５に記載のユーザーデバイス。
【請求項２７】
前記第１の処理ユニットは、前記測定対象に対応する次元と、測定する信号のタイプ及び周波数帯域とに基づいて、前記少なくとも１つフィルタ係数情報から選択して目標フィルタ係数情報を取得し、
前記目標フィルタ係数情報に含まれるオフセット値、及び第１の参照フィルタ係数に基づいて、測定に利用する目標フィルタ係数を算出するように構成される
ことを特徴とする請求項２５に記載のユーザーデバイス。
【請求項２８】
前記ネットワーク側により構成された少なくとも１つフィルタ係数情報を取得することは、
ネットワーク側により構成された少なくとも１つフィルタ係数を取得することを含む
ことを特徴とする請求項２２に記載のユーザーデバイス。
【請求項２９】
前記第１の通信ユニットは、測定対象の識別情報に基づいて、前記少なくとも１つフィルタ係数から選択して測定に利用する目標フィルタ係数を取得するように構成される
ことを特徴とする請求項２８に記載のユーザーデバイス。
【請求項３０】
前記第１の通信ユニットは、ネットワーク側により構成された第２の参照フィルタ係数を取得するように構成される
ことを特徴とする請求項２２に記載のユーザーデバイス。
【請求項３１】
前記第１の通信ユニットは、ネットワーク側により構成された、少なくとも１つ次元の各次元に対応する少なくとも１つ因子又はオフセット値を取得するように構成される
ことを特徴とする請求項３０に記載のユーザーデバイス。
【請求項３２】
前記第１の処理ユニットは、測定対象に対応する次元情報に基づいて、目標因子又は目標オフセットを選択して取得し、
選択された目標因子又は目標オフセットに基づいて、測定に利用する目標フィルタ係数を算出するように構成される
ことを特徴とする請求項３１に記載のユーザーデバイス。
【請求項３３】
前記第１の処理ユニットは、目標因子を選択する場合、第２の参照フィルタ係数を利用して前記目標因子に乗算して、測定に利用する目標フィルタ係数を取得し、
目標オフセットを選択する場合、第２の参照フィルタ係数を利用して前記目標オフセットに加算して、測定に利用する目標フィルタ係数を取得するように構成される
ことを特徴とする請求項３２に記載のユーザーデバイス。
【請求項３４】
前記第１の処理ユニットは、目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されるように構成される
ことを特徴とする請求項２２〜３３のいずれか１項に記載のユーザーデバイス。
【請求項３５】
前記第１の処理ユニットは、ネットワーク側により構成されたフィルタ係数情報を取得しない時に、デフォルトのフィルタ係数を前記目標フィルタ係数とするように構成される
ことを特徴とする請求項２２に記載のユーザーデバイス。
【請求項３６】
第２の通信ユニットを備えるネットワークデバイスであって、
第２の通信ユニットは、ユーザーデバイスに少なくとも１つフィルタ係数情報を構成するように構成され、前記少なくとも１つフィルタ係数は、デフォルトのフィルタ係数情報を少なくとも含む
ことを特徴とするネットワークデバイス。
【請求項３７】
前記第２の通信ユニットは、ユーザーデバイスに少なくとも１つ第１の参照フィルタ係数を構成するように構成される
ことを特徴とする請求項３６に記載のネットワークデバイス。
【請求項３８】
前記ネットワークデバイスは、さらに、第２の処理ユニットを含み、
前記第２の処理ユニットは、少なくとも１つ次元の各次元に対応するフィルタ係数情報を決定するように構成され、
前記第２の通信ユニットは、ユーザーデバイスに少なくとも１つ次元の各次元に対応するフィルタ係数情報を構成するように構成され、
前記フィルタ係数情報は、参照フィルタ係数に対するフィルタ係数のオフセット値を含む
ことを特徴とする請求項３７に記載のネットワークデバイス。
【請求項３９】
前記フィルタ係数情報は、前記フィルタ係数が前記参照フィルタ係数よりも大きく、又は小さい指示情報を含む
ことを特徴とする請求項３７に記載のネットワークデバイス。
【請求項４０】
前記第２の通信ユニットは、ユーザーデバイスに少なくとも１つフィルタ係数を構成するように構成される
ことを特徴とする請求項３６に記載のネットワークデバイス。
【請求項４１】
前記第２の通信ユニットは、ユーザーデバイスに第２の参照フィルタ係数を構成するように構成される
ことを特徴とする請求項３６に記載のネットワークデバイス。
【請求項４２】
前記ネットワークデバイスは、さらに、第２の処理ユニットを含み、
前記第２の処理ユニットは、少なくとも１つ次元の各次元に対応する少なくとも１つ因子又はオフセット値を決定するように構成され、
前記第２の通信ユニットは、ユーザーデバイスに少なくとも１つ次元の各次元に対応する少なくとも１つ因子又はオフセット値を構成するように構成される
ことを特徴とする請求項４１に記載のネットワークデバイス。
【請求項４３】
プロセッサと、前記プロセッサ上で実行可能なコンピュータプログラムを格納するメモリとを備え、
前記プロセッサは、前記コンピュータプログラムを実行する際に、請求項１〜１４のいずれか１項に記載の方法のステップを実行するように構成されている
ことを特徴とするユーザーデバイス。
【請求項４４】
プロセッサと、前記プロセッサ上で実行可能なコンピュータプログラムを格納するメモリとを備え、
前記プロセッサは、前記コンピュータプログラムを実行する際に、請求項１５〜２１のいずれか１項に記載の方法のステップを実行するように構成されている
ことを特徴とする請求項ネットワークデバイス。
【請求項４５】
請求項１〜２１のいずれか１項に記載の方法のステップを実行するコンピュータ実行可能命令を記憶した
ことを特徴とするコンピュータ記憶媒体。
【発明の詳細な説明】
【技術分野】
【０００１】
本発明は、情報処理技術分野に関し、特に、ユーザーデバイスの測定パラメータの構成方法、ユーザーデバイス（ＵＥ）、ネットワークデバイス及びコンピュータ記憶媒体に関する。
【背景技術】
【０００２】
ＬＴＥとＮＲとの間のｔｉｇｈｔ  ｉｎｔｅｒｗｏｒｋｉｎｇの動作モードでは、ＭＮ及びＳＮは、測定構成をＵＥに独立して設定する。測定フィルタ係数は、ＬＴＥにおける各ＵＥの測定において、ＲＳＲＰ又はＲＳＲＱかに応じて異なる２つのフィルタ係数を構成するのみである。
【０００３】
５Ｇでは、ＮＲのスペクトル範囲が比較的広いため、信号減衰は周波数によって異なる。例えば、ＮＲにおける周波数ポイントが高く、セルの信号品質の変動が大きいため、フィルタ係数の構成には、新たな測定信号が最終的な測定結果に与える影響を多く考慮する必要がある。また、フィルタ係数を測定することは考慮すべき要素が多く、例えば測定対象毎に異なるフィルタ係数を考慮するため、フィルタ係数の測定配置によるシグナリングも比較的大きいため、合理的な構成を設計してフィルタ係数構成によるシグナリングの負荷を低減する必要がある。
【発明の概要】
【０００４】
上記の課題を解決するために、本発明の実施例は、ユーザーデバイスの測定パラメータの構成方法、ユーザーデバイス（ＵＥ）、ネットワークデバイス及びコンピュータ記憶媒体を提供する。
【０００５】
本発明の実施例におけるユーザーデバイスの測定パラメータの構成方法は、ユーザーデバイスに応用され、
ネットワーク側により構成された少なくとも１つフィルタ係数情報を取得することと、
測定対象の関連情報及び前記少なくとも１つフィルタ係数情報に基づいて、測定に利用する目標フィルタ係数を決定することとを含む。
【０００６】
本発明の実施例におけるユーザーデバイスの測定パラメータの構成方法は、ネットワークデバイスに応用され、
ユーザーデバイスに少なくとも１つフィルタ係数情報を構成することを含み、ここで、前記少なくとも１つフィルタ係数は、デフォルトのフィルタ係数情報を少なくとも含む。
【０００７】
本発明の実施例におけるユーザーデバイスは、第１の通信ユニット及び第１の処理ユニットを備え、
第１の通信ユニットは、ネットワーク側により構成された少なくとも１つフィルタ係数情報を取得するように構成され、
第１の処理ユニットは、測定対象の関連情報及び前記少なくとも１つフィルタ係数情報に基づいて、測定に利用する目標フィルタ係数を決定するように構成される。
【０００８】
本発明の実施例におけるネットワークデバイスは、第２の通信ユニットを備え、
第２の通信ユニットは、ユーザーデバイスに少なくとも１つフィルタ係数情報を構成するように構成され、ここで、前記少なくとも１つフィルタ係数は、デフォルトのフィルタ係数情報を少なくとも含む。
【０００９】
本発明の実施例は、プロセッサと、プロセッサ上で実行可能なコンピュータプログラムを記憶するためのメモリと、を備えるユーザ機器ＵＥを提供し、  
ここで、プロセッサは、コンピュータプログラムを実行することによって、前述の方法のステップを実行する。
【００１０】
本発明の実施例は、プロセッサと、プロセッサ上で実行可能なコンピュータプログラムを記憶するためのメモリと、を備えるネットワークデバイスを提供し、  
ここで、プロセッサは、コンピュータプログラムを実行することによって、前述の方法のステップを実行する。
【００１１】
本発明の実施例は、実行されると、前述の方法ステップを実施するコンピュータ実行可能命令を記憶したコンピュータ記憶媒体を提供する。
【００１２】
本発明の実施例による技術案は、ユーザーデバイスがネットワーク側に構成された複数のフィルタ係数情報を取得することができ、これにより、ユーザーデバイスは、ユーザーデバイスが測定を行う必要がある場合、測定対象及び複数のフィルタ係数情報に基づいて、目標フィルタ係数を決定することができ、ユーザーデバイスが測定を行う必要がある場合、フィルタ係数の構成のシグナリング負荷を低減させることができる。
【図面の簡単な説明】
【００１３】
【図１】本発明の実施例におけるユーザーデバイスの測定パラメータの構成方法のフローチャートである。
【図２】本発明の実施例におけるユーザーデバイスの構成の模式図である。
【図３】本発明の実施例におけるネットワークデバイスの構成の模式図である。
【図４】本発明の実施例のハードウェアアーキテクチャの概略図である。
【発明を実施するための形態】
【００１４】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１５】
実施例一
本発明の実施例は、ユーザーデバイスの測定パラメータの構成方法を提供し、ユーザーデバイス（ＵＥ）に応用され、図１に示すように、以下のステップを含み、
ステップ１０１において、ネットワーク側により構成された少なくとも１つフィルタ係数情報を取得し、
ステップ１０２において、測定対象の関連情報及び前記少なくとも１つフィルタ係数情報に基づいて、測定に利用する目標フィルタ係数を決定する。
【００１６】
すなわち、本発明の実施例は、ネットワーク側で複数のフィルタ係数情報を構成し、これにより、複数のフィルタ係数情報から、採用する目標フィルタ係数を選択して取得することができる。
【００１７】
以下、この実施例で提供する解決策を、それぞれ様々な例を用いて具体的に説明する。
【００１８】
例１
前記少なくとも１つフィルタ係数は、デフォルトのフィルタ係数情報を少なくとも含む。
【００１９】
前記方法は、さらに、ネットワーク側により構成された少なくとも１つ第１の参照フィルタ係数を取得することを含む。なお、各第１の参照フィルタ係数は、この実施例に含まれる複数の次元に構成し、例えば、各次元に第１の参照フィルタ係数を構成する。この実施例では、周波数の次元を低周波数、中周波数、高周波数、超高周波数に分割することができ、それに応じて、４つの次元の各々に第１の参照フィルタ係数を構成し、また、異なる第１の参照フィルタ係数は、異なっていてもよい。
【００２０】
この実施例では、複数のフィルタ係数情報を、周波数に応じて、周波数ポイントを、例えば、低周波数、中周波数、高周波数、および超高周波数の複数の段階に分けて次元分割する。さらに、中高周波数の３段階にそれぞれ異なるフィルタ係数を用いて構成した。すなわち、異なるフィルタ係数は、異なる周波数次元に対応し、各周波数次元において、異なる周波数ポイントに応じて複数のフィルタ係数を構成することができる。
【００２１】
前記ネットワーク側により構成された少なくとも１つフィルタ係数情報を取得することは、
ネットワーク側により構成された、少なくとも１つ次元の各次元に対応するフィルタ係数情報を取得することを含み、
ここで、前記フィルタ係数情報は、さらに、第１の参照フィルタ係数に対するフィルタ係数のオフセット値を含む。すなわち、各次元の少なくとも１つのフィルタ係数情報において、各フィルタ係数情報に、１つのオフセット値と、どの第１の参照フィルタ係数に対応するかとが含まれていてもよい。もちろん、具体的な参照フィルタ係数を示さず、各次元に対応する１つの第１の参照フィルタ係数をデフォルトに用いて、オフセット値に対応させることもできる。
【００２２】
なお、実施例で提供される次元分割方法は、以下のものを含んでもよい。
【００２３】
対応するフィルタ係数情報は、＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞、＜低周波数、中周波数、高周波数、超高周波数の４＞の各次元に応じてそれぞれ構成され、該フィルタ係数情報は、参照フィルタ係数に対する構成するフィルタ係数のオフセット値である。
【００２４】
前記オフセット値は、第１の参照フィルタ係数との扱い方として考えることができ、以下のものを含み得る。
【００２５】
第１に、オフセット値は、第１の参照フィルタ係数に加算されると考えてもよく、もちろん、第１の参照フィルタ係数から減算されると考えてもよく、もちろん、他の計算方法も可能であり、ここで網羅的に列挙するものではない。すなわち、構成されたフィルタ係数の必要とされるインデックスは、全て参照フィルタ係数のインデックスよりも大きいか、または、フィルタ係数のインデックスよりも小さい。
【００２６】
第２に、前記フィルタ係数情報は、前記フィルタ係数が前記参照フィルタ係数よりも大きく、又は小さい指示情報を含む。この処理方式が第１の処理方式と異なることは、フィルタ係数情報において、オフセット値に加えて、オフセット値と第１の参照フィルタ係数との計算方式を示すことができ、加算でも減算でもよく、具体的なフィルタ係数情報において詳細に限定されている。
【００２７】
ユーザーデバイス（ＵＥ）がフィルタ係数情報、即ちネットワーク側に構成されたパラメータを取得した後、参照フィルタ係数及びフィルタ係数オフセットに基づいてフィルタ係数を決定する。
【００２８】
具体的に、前記測定対象の関連情報及び前記少なくとも１つフィルタ係数情報に基づいて、測定に利用する目標フィルタ係数を決定することは、
前記測定対象に対応する次元と、測定する信号のタイプ及び周波数帯域とに基づいて、前記少なくとも１つフィルタ係数情報から選択して目標フィルタ係数情報を取得することと、
前記目標フィルタ係数情報に含まれるオフセット値、及び第１の参照フィルタ係数に基づいて、測定に利用する目標フィルタ係数を算出することとを含む。
【００２９】
すなわち、ＵＥは、測定されるものがｃｅｌｌであるかｂｅａｍであるか、測定される量がＲＳＲＰであるかＲＳＲＱであるかＳＩＮＲであるか、測定信号がＣＳＩ−ＲＳであるかＳＳＢであるか、及び測定周波数ポイントが存在する周波数帯に応じて、現在測定に用いられる目標フィルタ係数を決定する。
【００３０】
この例では、各組み合わせに対してデフォルトの構成パラメータが与えられているので、目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示される。
【００３１】
すなわち、配置しようとするフィルタ係数とデフォルトの構成フィルタ係数が同じであれば、構成フィルタ係数が表示されず、デフォルトの構成フィルタ係数を採用する。
【００３２】
さらに、本例示的な前述の方式は、ＵＥ側が、構成された少なくとも１つのフィルタ係数情報に基づき、目標フィルタ係数の構成を行う方式であり、勿論、他の方式として、ネットワーク側により構成されたフィルタ係数情報を取得しない時に、デフォルトのフィルタ係数を前記目標フィルタ係数とする。つまり、測定対象に関連情報は、ネットワーク側から送信されてくる構成情報として把握することができる。
【００３３】
例２、
前記ネットワーク側により構成された少なくとも１つフィルタ係数情報を取得することは、
ネットワーク側により構成された少なくとも１つフィルタ係数を取得することを含む。
【００３４】
すなわち、ネットワーク側は、ユーザーデバイスに１以上のフィルタ係数のリスト(Ｌｉｓｔ)を構成する。
【００３５】
任意選択で、該フィルタ係数Ｌｉｓｔのデフォルトのフィルタ係数値を与える。
【００３６】
前記測定対象の関連情報及び前記少なくとも１つフィルタ係数情報に基づいて、測定に利用する目標フィルタ係数を決定することは、
測定対象の識別情報に基づいて、前記少なくとも１つフィルタ係数から選択して測定に利用する目標フィルタ係数を取得することを含む。
【００３７】
すなわち、各測定配置について、１つのフィルタ係数Ｌｉｓｔと、そのフィルタ係数Ｌｉｓｔのうちのあるフィルタ係数とが、測定ｉｄにより関連付けられ、インデックスにより関連付けられる。関連付けようとするフィルタ係数がデフォルトのフィルタ係数値と等しい場合は、構成せず、そうでない場合は、フィルタ係数インデックスを表示して構成する。
【００３８】
例１と同様に、前記測定対象の関連情報及び前記少なくとも１つフィルタ係数情報に基づいて、測定に利用する目標フィルタ係数を決定することは、ネットワーク側から送信された構成情報を受信し、構成情報において目標フィルタ係数が示されている場合、構成情報に基づいて目標フィルタ係数を決定し、前記構成情報に目標フィルタ係数が示されていない場合、前記目標フィルタ係数として、デフォルトのフィルタ係数を採用することであっても良い。つまり、測定対象に関連情報は、ネットワーク側から送信されてくる構成情報として把握することができる。すなわち、ネットワーク側からの指示に基づいて、目標フィルタ係数を決定する場面も本例に含まれる。ネットワーク側から指示されなければ、デフォルト値で処理を行うことができる。
【００３９】
例３
ネットワーク側により構成された第２の参照フィルタ係数を取得する。つまり、ネットワーク側により構成された１つの参照フィルタ係数を受信する。
【００４０】
前記ネットワーク側により構成された少なくとも１つフィルタ係数情報を取得することは、
ネットワーク側により構成された、少なくとも１つ次元の各次元に対応する少なくとも１つ因子又はオフセット値を取得することを含む。
【００４１】
例えば、以下の少なくとも１つであっても良い。
【００４２】
＜ｃｅｌｌ，ｂｅａｍ＞の次元に対して、それぞれ２つの因子またはオフセットを構成し、
＜ＲＳＲＰ，ＲＳＲＱ，ＳＩＮＲ＞の次元に対して、３つの因子またはオフセットをそれぞれ構成し、
＜ＣＳＩ−ＳＲ，ＳＳＢ＞の次元に対して、２つの因子またはオフセットがそれぞれ構成される。
【００４３】
周波数ポイント、例えば＜低周波数、中周波数、高周波数、および超高周波数４＞に対して、それぞれｎ個の因子またはオフセットが構成される。ｎは周波数への割り当てによるが、例えば上記の例ｎ＝４のように、周波数が＜低周波数，中周波数，高周波数＞に分かれば、ｎ＝３、周波数が＜低周波数，高周波数＞に分かれば、ｎ＝２となる。
【００４４】
前記測定対象の関連情報及び前記少なくとも１つフィルタ係数情報に基づいて、測定に利用する目標フィルタ係数を決定することは、
測定対象に対応する次元情報に基づいて、目標因子又は目標オフセットを選択して取得することと、
選択された目標因子又は目標オフセットに基づいて、測定に利用する目標フィルタ係数を算出することとを含む。
【００４５】
ここで、前記選択された目標因子又は目標オフセットに基づいて、測定に利用する目標フィルタ係数を算出することは、
目標因子を選択する場合、第２の参照フィルタ係数を利用して前記目標因子に乗算して、測定に利用する目標フィルタ係数を取得することと、
目標オフセットを選択する場合、第２の参照フィルタ係数を利用して前記目標オフセットに加算して、測定に利用する目標フィルタ係数を取得することとを含む。
【００４６】
測定構成に要求される＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞と測定対象の周波数ポイント情報から、異なる周波数因子又はオフセットを求め、フィルタ係数を算出する。
【００４７】
因子である場合、フィルタ係数=参照フィルタ係数*すべての項目に対応する因子であり、
オフセットである場合、フィルタ係数=参照フィルタ係数＋全ての項目に対応するオフセットであり、
上記の複数の例は、以下のステップを含み、
目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されることを含む。
【００４８】
以上のように、本発明によれば、ユーザーデバイスがネットワーク側で構成された複数のフィルタ係数情報を取得することができ、ユーザーデバイスは、ユーザーデバイスが測定を行う必要がある場合に、複数のフィルタ係数情報に基づいて目標フィルタ係数を決定することができ、ユーザーデバイスが測定を行う必要がある場合に、フィルタ係数の構成のシグナリング負荷を低減させることができる。
【００４９】
実施例二
本発明の実施例は、ユーザーデバイスの測定パラメータの構成方法を提供し、ネットワークデバイスに応用され、ユーザーデバイスに少なくとも１つフィルタ係数情報を構成することを含み、ここで、前記少なくとも１つフィルタ係数は、デフォルトのフィルタ係数情報を少なくとも含む。
【００５０】
すなわち、本発明の実施例は、ネットワーク側で複数のフィルタ係数情報を構成し、それら複数のフィルタ係数情報から、採用する目標フィルタ係数を選択して取得することができる。
【００５１】
以下、この実施例で提供する解決策を、それぞれ様々な例を用いて具体的に説明する
例１
前記少なくとも１つフィルタ係数は、デフォルトのフィルタ係数情報を少なくとも含む。
【００５２】
前記方法は、さらに、ユーザーデバイスに少なくとも１つ第１の参照フィルタ係数を構成することを含む。なお、各第１の参照フィルタ係数は、この実施例に含まれる複数の次元に構成し、例えば、各次元に第１の参照フィルタ係数を構成する。この実施例では、周波数の次元を低周波数、中周波数、高周波数、超高周波数に分割することができ、それに応じて、４つの次元の各々に第１の参照フィルタ係数を構成し、また、異なる第１の参照フィルタ係数は、異なっていてもよい。
【００５３】
この実施例では、複数のフィルタ係数情報を、周波数に応じて、周波数ポイントを、例えば、低周波数、中周波数、高周波数、および超高周波数の複数の段階に分けて次元分割する。さらに、中高周波数の３段階にそれぞれ異なるフィルタ係数を用いて構成した。すなわち、異なるフィルタ係数は、異なる周波数次元に対応し、各周波数次元において、異なる周波数ポイントに応じて複数のフィルタ係数を構成することができる。
【００５４】
前記ユーザーデバイスに少なくとも１つフィルタ係数情報を構成することは、
ユーザーデバイスに少なくとも１つ次元の各次元に対応するフィルタ係数情報を構成することを含み、
ここで、前記フィルタ係数情報は、参照フィルタ係数に対するフィルタ係数のオフセット値を含む。
【００５５】
すなわち、各次元の少なくとも１つのフィルタ係数情報において、各フィルタ係数情報に、１つのオフセット値と、どの第１の参照フィルタ係数に対応するかとが含まれていてもよい。もちろん、具体的な参照フィルタ係数を示さず、各次元に対応する１つの第１の参照フィルタ係数をデフォルトに用いて、オフセット値に対応させることもできる。
【００５６】
なお、実施例で提供される次元分割方法は、以下のものを含んでもよい。
【００５７】
対応するフィルタ係数情報は、＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞、＜低周波数、中周波数、高周波数、超高周波数の４＞の各次元に応じてそれぞれ構成され、該フィルタ係数情報は、参照フィルタ係数に対する構成するフィルタ係数のオフセット値である。
【００５８】
前記オフセット値は、第１の参照フィルタ係数との扱い方として考えることができ、以下のものを含み得る。
【００５９】
第１に、オフセット値は、第１の参照フィルタ係数に加算されると考えてもよく、もちろん、第１の参照フィルタ係数から減算されると考えてもよく、もちろん、他の計算方法も可能であり、ここで網羅的に列挙するものではない。すなわち、構成されたフィルタ係数の必要とされるインデックスは、全て参照フィルタ係数のインデックスよりも大きいか、または、フィルタ係数のインデックスよりも小さい。
【００６０】
第２に、前記フィルタ係数情報は、前記フィルタ係数が前記参照フィルタ係数よりも大きく、又は小さい指示情報を含む。この処理方式が第１の処理方式と異なることは、フィルタ係数情報において、オフセット値に加えて、オフセット値と第１の参照フィルタ係数との計算方式を示すことができ、加算でも減算でもよく、具体的なフィルタ係数情報において詳細に限定されている。
【００６１】
ユーザーデバイス（ＵＥ）がフィルタ係数情報、即ちネットワーク側に構成されたパラメータを取得した後、参照フィルタ係数及びフィルタ係数オフセットに基づいてフィルタ係数を決定する。
【００６２】
この例では、各組み合わせに対してデフォルトの構成パラメータが与えられているので、目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示される。
【００６３】
構成されるフィルタ係数とデフォルト構成されるフィルタ係数と同じように、構成フィルタ係数を表示されず、デフォルト構成フィルタ係数を採用する。
【００６４】
例２
前記ユーザーデバイスに少なくとも１つフィルタ係数情報を構成することは、
ユーザーデバイスに少なくとも１つフィルタ係数を構成することを含む。すなわち、ネットワーク側は、ユーザーデバイスに１以上のフィルタ係数のリスト(Ｌｉｓｔ)を構成する。
【００６５】
任意選択で、該フィルタ係数Ｌｉｓｔのデフォルトのフィルタ係数値を与える。
【００６６】
前記測定対象の関連情報及び前記少なくとも１つフィルタ係数情報に基づいて、測定に利用する目標フィルタ係数を決定することは、
測定対象の識別情報に基づいて、前記少なくとも１つフィルタ係数から選択して測定に利用する目標フィルタ係数を取得することを含む。
【００６７】
すなわち、各測定配置について、１つのフィルタ係数Ｌｉｓｔと、そのフィルタ係数Ｌｉｓｔのうちのあるフィルタ係数とが、測定ｉｄにより関連付けられ、インデックスにより関連付けられる。関連付けようとするフィルタ係数がデフォルトのフィルタ係数値と等しい場合は、構成せず、そうでない場合は、フィルタ係数インデックスを表示して構成する。
【００６８】
例３
前記方法は、さらに、
ユーザーデバイスに第２の参照フィルタ係数を構成することを含む。つまり、１つの参照フィルタ係数を構成する。
【００６９】
前記ユーザーデバイスに少なくとも１つフィルタ係数情報を構成することは、
ユーザーデバイスに少なくとも１つ次元の各次元に対応する少なくとも１つ因子又はオフセット値を構成することを含む。
【００７０】
例えば、以下の少なくとも１つであっても良い。
【００７１】
＜ｃｅｌｌ，ｂｅａｍ＞の次元に対して、それぞれ２つの因子またはオフセットを構成し、
＜ＲＳＲＰ，ＲＳＲＱ，ＳＩＮＲ＞の次元に対して、３つの因子またはオフセットをそれぞれ構成し、
＜ＣＳＩ−ＳＲ，ＳＳＢ＞の次元に対して、２つの因子またはオフセットがそれぞれ構成される。
【００７２】
周波数ポイント、例えば＜低周波数、中周波数、高周波数、および超高周波数４＞に対して、それぞれｎ個の因子またはオフセットが構成される。ｎは周波数への割り当てによるが、例えば上記の例ｎ＝４のように、周波数が＜低周波数，中周波数，高周波数＞に分かれば、ｎ＝３、周波数が＜低周波数，高周波数＞に分かれば、ｎ＝２となる。
【００７３】
前記測定対象の関連情報及び前記少なくとも１つフィルタ係数情報に基づいて、測定に利用する目標フィルタ係数を決定することは、
測定対象に対応する次元情報に基づいて、目標因子又は目標オフセットを選択して取得することと、
選択された目標因子又は目標オフセットに基づいて、測定に利用する目標フィルタ係数を算出することとを含む。
【００７４】
ここで、前記選択された目標因子又は目標オフセットに基づいて、測定に利用する目標フィルタ係数を算出することは、
目標因子を選択する場合、第２の参照フィルタ係数を利用して前記目標因子に乗算して、測定に利用する目標フィルタ係数を取得することと、
目標オフセットを選択する場合、第２の参照フィルタ係数を利用して前記目標オフセットに加算して、測定に利用する目標フィルタ係数を取得することとを含む。
【００７５】
測定構成に要求される＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞と測定対象の周波数ポイント情報から、異なる周波数因子又はオフセットを求め、フィルタ係数を算出する。
【００７６】
因子である場合、フィルタ係数=参照フィルタ係数*すべての項目に対応する因子であり、
オフセットである場合、フィルタ係数=参照フィルタ係数＋全ての項目に対応するオフセットであり、
上記の複数の例は、以下のステップを含み、
目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されることを含む。
【００７７】
以上のように、本発明によれば、ユーザーデバイスがネットワーク側で構成された複数のフィルタ係数情報を取得することができ、ユーザーデバイスは、ユーザーデバイスが測定を行う必要がある場合に、複数のフィルタ係数情報に基づいて目標フィルタ係数を決定することができ、ユーザーデバイスが測定を行う必要がある場合に、フィルタ係数の構成のシグナリング負荷を低減させることができる。
【００７８】
実施例三、
本発明の実施例は、ユーザーデバイス（ＵＥ）を提供し、図２に示すように、第１の通信ユニット２１及び第１の処理ユニット２２を含み、
第１の通信ユニット２１は、ネットワーク側により構成された少なくとも１つフィルタ係数情報を取得するように構成され、
第１の処理ユニット２２は、測定対象の関連情報及び前記少なくとも１つフィルタ係数情報に基づいて、測定に利用する目標フィルタ係数を決定するように構成される。
【００７９】
すなわち、本発明の実施例は、ネットワーク側で複数のフィルタ係数情報を構成し、それら複数のフィルタ係数情報から、採用する目標フィルタ係数を選択して取得することができる。
【００８０】
以下、この実施例で提供する解決策を、それぞれ様々な例を用いて具体的に説明する
例１
前記少なくとも１つフィルタ係数は、デフォルトのフィルタ係数情報を少なくとも含む。
【００８１】
前記第１の通信ユニット２１は、ネットワーク側により構成された少なくとも１つ第１の参照フィルタ係数を取得するように構成される。なお、各第１の参照フィルタ係数は、この実施例に含まれる複数の次元に構成し、例えば、各次元に第１の参照フィルタ係数を構成する。この実施例では、周波数の次元を低周波数、中周波数、高周波数、超高周波数に分割することができ、それに応じて、４つの次元の各々に第１の参照フィルタ係数を構成し、また、異なる第１の参照フィルタ係数は、異なっていてもよい。
【００８２】
この実施例では、複数のフィルタ係数情報を、周波数に応じて、周波数ポイントを、例えば、低周波数、中周波数、高周波数、および超高周波数の複数の段階に分けて次元分割する。さらに、中高周波数の３段階にそれぞれ異なるフィルタ係数を用いて構成した。すなわち、異なるフィルタ係数は、異なる周波数次元に対応し、各周波数次元において、異なる周波数ポイントに応じて複数のフィルタ係数を構成することができる。
【００８３】
前記第１の通信ユニット２１は、ネットワーク側により構成された、少なくとも１つ次元の各次元に対応するフィルタ係数情報を取得するように構成され、
ここで、前記フィルタ係数情報は、さらに、第１の参照フィルタ係数に対するフィルタ係数のオフセット値を含む。すなわち、各次元の少なくとも１つのフィルタ係数情報において、各フィルタ係数情報に、１つのオフセット値と、どの第１の参照フィルタ係数に対応するかとが含まれていてもよい。もちろん、具体的な参照フィルタ係数を示さず、各次元に対応する１つの第１の参照フィルタ係数をデフォルトに用いて、オフセット値に対応させることもできる。
【００８４】
なお、実施例で提供される次元分割方法は、以下のものを含んでもよい。
【００８５】
対応するフィルタ係数情報は、＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞、＜低周波数、中周波数、高周波数、超高周波数の４＞の各次元に応じてそれぞれ構成され、該フィルタ係数情報は、参照フィルタ係数に対する構成するフィルタ係数のオフセット値である。
【００８６】
前記オフセット値は、第１の参照フィルタ係数との扱い方として考えることができ、以下のものを含み得る。
【００８７】
第１に、オフセット値は、第１の参照フィルタ係数に加算されると考えてもよく、もちろん、第１の参照フィルタ係数から減算されると考えてもよく、もちろん、他の計算方法も可能であり、ここで網羅的に列挙するものではない。すなわち、構成されたフィルタ係数の必要とされるインデックスは、全て参照フィルタ係数のインデックスよりも大きいか、または、フィルタ係数のインデックスよりも小さい。
【００８８】
第２に、前記フィルタ係数情報は、前記フィルタ係数が前記参照フィルタ係数よりも大きく、又は小さい指示情報を含む。この処理方式が第１の処理方式と異なることは、フィルタ係数情報において、オフセット値に加えて、オフセット値と第１の参照フィルタ係数との計算方式を示すことができ、加算でも減算でもよく、具体的なフィルタ係数情報において詳細に限定されている。
【００８９】
ユーザーデバイス（ＵＥ）がフィルタ係数情報、即ちネットワーク側に構成されたパラメータを取得した後、参照フィルタ係数及びフィルタ係数オフセットに基づいてフィルタ係数を決定する。
【００９０】
具体的に、前記第１の処理ユニット２２は、前記測定対象に対応する次元と、測定する信号のタイプ及び周波数帯域とに基づいて、前記少なくとも１つフィルタ係数情報から選択して目標フィルタ係数情報を取得し、
前記目標フィルタ係数情報に含まれるオフセット値、及び第１の参照フィルタ係数に基づいて、測定に利用する目標フィルタ係数を算出するように構成される。
【００９１】
すなわち、ＵＥは、測定されるものがｃｅｌｌであるかｂｅａｍであるか、測定される量がＲＳＲＰであるかＲＳＲＱであるかＳＩＮＲであるか、測定信号がＣＳＩ−ＲＳであるかＳＳＢであるか、及び測定周波数ポイントが存在する周波数帯に応じて、現在測定に用いられる目標フィルタ係数を決定する。
【００９２】
この例では、各組み合わせに対してデフォルトの構成パラメータが与えられているので、目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示される。
【００９３】
すなわち、配置しようとするフィルタ係数とデフォルトの構成フィルタ係数が同じであれば、構成フィルタ係数が表示されず、デフォルトの構成フィルタ係数を採用する。
【００９４】
さらに、本例示的な前述の方式は、ＵＥ側が、構成された少なくとも１つのフィルタ係数情報に基づき、目標フィルタ係数の構成を行う方式であり、勿論、他の方式として、ネットワーク側により構成されたフィルタ係数情報を取得しない時に、デフォルトのフィルタ係数を前記目標フィルタ係数とすることを含む。つまり、測定対象に関連情報は、ネットワーク側から送信されてくる構成情報として把握することができる。
【００９５】
例２
前記第１の通信ユニット２１は、ネットワーク側により構成された少なくとも１つフィルタ係数を取得するように構成される。
【００９６】
すなわち、ネットワーク側は、ユーザーデバイスに１以上のフィルタ係数のリスト(Ｌｉｓｔ)を構成する。
【００９７】
任意選択で、該フィルタ係数Ｌｉｓｔのデフォルトのフィルタ係数値を与える。
【００９８】
前記第１の処理ユニット２２は、測定対象の識別情報に基づいて、前記少なくとも１つフィルタ係数から選択して測定に利用する目標フィルタ係数を取得するように構成される。
【００９９】
すなわち、各測定配置について、１つのフィルタ係数Ｌｉｓｔと、そのフィルタ係数Ｌｉｓｔのうちのあるフィルタ係数とが、測定ｉｄにより関連付けられ、インデックスにより関連付けられる。関連付けようとするフィルタ係数がデフォルトのフィルタ係数値と等しい場合は、構成せず、そうでない場合は、フィルタ係数インデックスを表示して構成する。
【０１００】
例１と同様に、前記測定対象の関連情報及び前記少なくとも１つフィルタ係数情報に基づいて、測定に利用する目標フィルタ係数を決定することは、ネットワーク側から送信された構成情報を受信し、構成情報において目標フィルタ係数が示されている場合、構成情報に基づいて目標フィルタ係数を決定し、前記構成情報に目標フィルタ係数が示されていない場合、前記目標フィルタ係数として、デフォルトのフィルタ係数を採用することであっても良い。つまり、測定対象に関連情報は、ネットワーク側から送信されてくる構成情報として把握することができる。すなわち、ネットワーク側からの指示に基づいて、目標フィルタ係数を決定する場面も本例に含まれる。ネットワーク側から指示されなければ、デフォルト値で処理を行うことができる。
【０１０１】
例３
ネットワーク側により構成された第２の参照フィルタ係数を取得することを含む。つまり、ネットワーク側により構成された１つの参照フィルタ係数を受信する。
【０１０２】
前記第１の通信ユニットは、ネットワーク側により構成された、少なくとも１つ次元の各次元に対応する少なくとも１つ因子又はオフセット値を取得するように構成される。
【０１０３】
例えば、以下の少なくとも１つであっても良い。
【０１０４】
＜ｃｅｌｌ，ｂｅａｍ＞の次元に対して、それぞれ２つの因子またはオフセットを構成し、
＜ＲＳＲＰ，ＲＳＲＱ，ＳＩＮＲ＞の次元に対して、３つの因子またはオフセットをそれぞれ構成し、
＜ＣＳＩ−ＳＲ，ＳＳＢ＞の次元に対して、２つの因子またはオフセットがそれぞれ構成される。
【０１０５】
周波数ポイント、例えば＜低周波数、中周波数、高周波数、および超高周波数４＞に対して、それぞれｎ個の因子またはオフセットが構成される。ｎは周波数への割り当てによるが、例えば上記の例ｎ＝４のように、周波数が＜低周波数，中周波数，高周波数＞に分かれば、ｎ＝３、周波数が＜低周波数，高周波数＞に分かれば、ｎ＝２となる。
【０１０６】
前記第１の処理ユニットは、測定対象に対応する次元情報に基づいて、目標因子又は目標オフセットを選択して取得し、
選択された目標因子又は目標オフセットに基づいて、測定に利用する目標フィルタ係数を算出するように構成される。
【０１０７】
ここで、前記第１の処理ユニットは、目標因子を選択する場合、第２の参照フィルタ係数を利用して前記目標因子に乗算して、測定に利用する目標フィルタ係数を取得し、
目標オフセットを選択する場合、第２の参照フィルタ係数を利用して前記目標オフセットに加算して、測定に利用する目標フィルタ係数を取得するように構成される。
【０１０８】
測定構成に要求される＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞と測定対象の周波数ポイント情報から、異なる周波数因子又はオフセットを求め、フィルタ係数を算出する。
【０１０９】
因子である場合、フィルタ係数=参照フィルタ係数*すべての項目に対応する因子であり、
オフセットである場合、フィルタ係数=参照フィルタ係数＋全ての項目に対応するオフセットであり、
上記の複数の例は、以下のステップを含み、
目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されることを含む。
【０１１０】
以上のように、本発明によれば、ユーザーデバイスがネットワーク側で構成された複数のフィルタ係数情報を取得することができ、ユーザーデバイスは、ユーザーデバイスが測定を行う必要がある場合に、複数のフィルタ係数情報に基づいて目標フィルタ係数を決定することができ、ユーザーデバイスが測定を行う必要がある場合に、フィルタ係数の構成のシグナリング負荷を低減させることができる。
【０１１１】
実施例四
本発明の実施例は、ネットワークデバイスを提供し、図３に示すように、第２の通信ユニット３１を含み、
第２の通信ユニット３１は、ユーザーデバイスに少なくとも１つフィルタ係数情報を構成するように構成され、ここで、前記少なくとも１つフィルタ係数は、デフォルトのフィルタ係数情報を少なくとも含む。
【０１１２】
すなわち、本発明の実施例は、ネットワーク側で複数のフィルタ係数情報を構成し、それら複数のフィルタ係数情報から、採用する目標フィルタ係数を選択して取得することができる。
【０１１３】
以下、この実施例で提供する解決策を、それぞれ様々な例を用いて具体的に説明する
例１
前記少なくとも１つフィルタ係数は、デフォルトのフィルタ係数情報を少なくとも含む。
【０１１４】
前記第２の通信ユニット３１は、ユーザーデバイスに少なくとも１つ第１の参照フィルタ係数を構成するように構成される。なお、各第１の参照フィルタ係数は、この実施例に含まれる複数の次元に構成し、例えば、各次元に第１の参照フィルタ係数を構成する。この実施例では、周波数の次元を低周波数、中周波数、高周波数、超高周波数に分割することができ、それに応じて、４つの次元の各々に第１の参照フィルタ係数を構成し、また、異なる第１の参照フィルタ係数は、異なっていてもよい。
【０１１５】
この実施例では、複数のフィルタ係数情報を、周波数に応じて、周波数ポイントを、例えば、低周波数、中周波数、高周波数、および超高周波数の複数の段階に分けて次元分割する。さらに、中高周波数の３段階にそれぞれ異なるフィルタ係数を用いて構成した。すなわち、異なるフィルタ係数は、異なる周波数次元に対応し、各周波数次元において、異なる周波数ポイントに応じて複数のフィルタ係数を構成することができる。
【０１１６】
前記ネットワークデバイスは、さらに、第２の処理ユニット３２及び前記第２の通信ユニット３１を含み、
第２の処理ユニット３２は、少なくとも１つ次元の各次元に対応するフィルタ係数情報を決定するように構成され、
前記第２の通信ユニット３１は、ユーザーデバイスに少なくとも１つ次元の各次元に対応するフィルタ係数情報を構成するように構成され、
ここで、前記フィルタ係数情報は、参照フィルタ係数に対するフィルタ係数のオフセット値を含む。
【０１１７】
すなわち、各次元の少なくとも１つのフィルタ係数情報において、各フィルタ係数情報に、１つのオフセット値と、どの第１の参照フィルタ係数に対応するかとが含まれていてもよい。もちろん、具体的な参照フィルタ係数を示さず、各次元に対応する１つの第１の参照フィルタ係数をデフォルトに用いて、オフセット値に対応させることもできる。
【０１１８】
なお、実施例で提供される次元分割方法は、以下のものを含んでもよい。
【０１１９】
対応するフィルタ係数情報は、＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞、＜低周波数、中周波数、高周波数、超高周波数の４＞の各次元に応じてそれぞれ構成され、該フィルタ係数情報は、参照フィルタ係数に対する構成するフィルタ係数のオフセット値である。
【０１２０】
前記オフセット値は、第１の参照フィルタ係数との扱い方として考えることができ、以下のものを含み得る。
【０１２１】
第１に、オフセット値は、第１の参照フィルタ係数に加算されると考えてもよく、もちろん、第１の参照フィルタ係数から減算されると考えてもよく、もちろん、他の計算方法も可能であり、ここで網羅的に列挙するものではない。すなわち、構成されたフィルタ係数の必要とされるインデックスは、全て参照フィルタ係数のインデックスよりも大きいか、または、フィルタ係数のインデックスよりも小さい。
【０１２２】
第２に、前記フィルタ係数情報は、前記フィルタ係数が前記参照フィルタ係数よりも大きく、又は小さい指示情報を含む。この処理方式が第１の処理方式と異なることは、フィルタ係数情報において、オフセット値に加えて、オフセット値と第１の参照フィルタ係数との計算方式を示すことができ、加算でも減算でもよく、具体的なフィルタ係数情報において詳細に限定されている。
【０１２３】
ユーザーデバイス（ＵＥ）がフィルタ係数情報、即ちネットワーク側に構成されたパラメータを取得した後、参照フィルタ係数及びフィルタ係数オフセットに基づいてフィルタ係数を決定する。
【０１２４】
この例では、各組み合わせに対してデフォルトの構成パラメータが与えられているので、目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示される。
【０１２５】
構成されるフィルタ係数とデフォルト構成されるフィルタ係数と同じように、構成フィルタ係数を表示されず、デフォルト構成フィルタ係数を採用する。
【０１２６】
例２
前記第２の通信ユニット３１は、ユーザーデバイスに少なくとも１つフィルタ係数を構成するように構成される。すなわち、ネットワーク側は、ユーザーデバイスに１以上のフィルタ係数のリスト(Ｌｉｓｔ)を構成する。
【０１２７】
任意選択で、該フィルタ係数Ｌｉｓｔのデフォルトのフィルタ係数値を与える。
【０１２８】
前記測定対象の関連情報及び前記少なくとも１つフィルタ係数情報に基づいて、測定に利用する目標フィルタ係数を決定することは、
測定対象の識別情報に基づいて、前記少なくとも１つフィルタ係数から選択して測定に利用する目標フィルタ係数を取得することを含む。
【０１２９】
すなわち、各測定配置について、１つのフィルタ係数Ｌｉｓｔと、そのフィルタ係数Ｌｉｓｔのうちのあるフィルタ係数とが、測定ｉｄにより関連付けられ、インデックスにより関連付けられる。関連付けようとするフィルタ係数がデフォルトのフィルタ係数値と等しい場合は、構成せず、そうでない場合は、フィルタ係数インデックスを表示して構成する。
【０１３０】
例３
前記第２の通信ユニット３１は、ユーザーデバイスに第２の参照フィルタ係数を構成するように構成される。つまり、１つの参照フィルタ係数を構成する。
【０１３１】
前記第２の通信ユニット３１は、ユーザーデバイスに少なくとも１つ次元の各次元に対応する少なくとも１つ因子又はオフセット値を構成するように構成される。
【０１３２】
例えば、以下の少なくとも１つであっても良い。
【０１３３】
＜ｃｅｌｌ，ｂｅａｍ＞の次元に対して、それぞれ２つの因子またはオフセットを構成し、
＜ＲＳＲＰ，ＲＳＲＱ，ＳＩＮＲ＞の次元に対して、３つの因子またはオフセットをそれぞれ構成し、
＜ＣＳＩ−ＳＲ，ＳＳＢ＞の次元に対して、２つの因子またはオフセットがそれぞれ構成される。
【０１３４】
周波数ポイント、例えば＜低周波数、中周波数、高周波数、および超高周波数４＞に対して、それぞれｎ個の因子またはオフセットが構成される。ｎは周波数への割り当てによるが、例えば上記の例ｎ＝４のように、周波数が＜低周波数，中周波数，高周波数＞に分かれば、ｎ＝３、周波数が＜低周波数，高周波数＞に分かれば、ｎ＝２となる。
【０１３５】
前記測定対象の関連情報及び前記少なくとも１つフィルタ係数情報に基づいて、測定に利用する目標フィルタ係数を決定することは、
測定対象に対応する次元情報に基づいて、目標因子又は目標オフセットを選択して取得することと、
選択された目標因子又は目標オフセットに基づいて、測定に利用する目標フィルタ係数を算出することとを含む。
【０１３６】
ここで、前記選択された目標因子又は目標オフセットに基づいて、測定に利用する目標フィルタ係数を算出することは、
目標因子を選択する場合、第２の参照フィルタ係数を利用して前記目標因子に乗算して、測定に利用する目標フィルタ係数を取得することと、
目標オフセットを選択する場合、第２の参照フィルタ係数を利用して前記目標オフセットに加算して、測定に利用する目標フィルタ係数を取得することとを含む。
【０１３７】
測定構成に要求される＜ｃｅｌｌ，ｂｅａｍ＞、＜ＲＳＲＰ，ＲＳＲＱ，ＳＩＮＲ＞、＜ＣＳＩ−ＳＲ，ＳＳＢ＞と測定対象の周波数ポイント情報から、異なる周波数因子又はオフセットを求め、フィルタ係数を算出する。
【０１３８】
因子である場合、フィルタ係数=参照フィルタ係数*すべての項目に対応する因子であり、
オフセットである場合、フィルタ係数=参照フィルタ係数＋全ての項目に対応するオフセットであり、
上記の複数の例は、以下のステップを含み、
目標フィルタ係数がデフォルトのフィルタ係数である場合、前記目標フィルタ係数が表示されず、前記目標フィルタ係数がデフォルトのフィルタ係数でない場合、構成された前記目標フィルタ係数のインデックス情報が表示されることを含む。
【０１３９】
以上のように、本発明によれば、ユーザーデバイスがネットワーク側で構成された複数のフィルタ係数情報を取得することができ、ユーザーデバイスは、ユーザーデバイスが測定を行う必要がある場合に、複数のフィルタ係数情報に基づいて目標フィルタ係数を決定することができ、ユーザーデバイスが測定を行う必要がある場合に、フィルタ係数の構成のシグナリング負荷を低減させることができる。
【０１４０】
本発明の実施例は、図４に示すように、少なくとも１つのプロセッサ４１と、メモリ４２と、少なくとも１つのネットワークインタフェース４３とを含む、ユーザ機器又は受信者機器のハードウェア構成アーキテクチャをさらに提供する。各構成要素は、バスシステム４４によって互いに結合される。バスシステム４４は、これらの構成要素間の接続通信を可能にするために使用されることが理解される。バスシステム４４は、データバスの他に、電源バス、制御バス、ステータス信号バスを有する。ただし、説明を分かりやすくするために、図４では、各種のバスをバスシステム４４と表記している。
【０１４１】
なお、本発明の実施例におけるメモリ４２は、揮発性メモリであっても不揮発性メモリであってもよく、揮発性メモリと不揮発性メモリの両方を含んでもよい。
【０１４２】
いくつかの実施形態において、メモリ４２は、実行可能モジュール若しくはデータ構造、又はそれらのサブセット、又はそれらの拡張セットの要素であるオペレーティングシステム４２１およびアプリケーションプログラム４２２を記憶する
ここで、前記プロセッサ４１は、前記実施例一又は二の方法ステップを処理することができるように構成され、ここでその説明が省略される。
【０１４３】
本発明の実施例は、実行されると、前述の実施例一又は二の方法ステップを実施するコンピュータ実行可能命令を記憶したコンピュータ記憶媒体を提供する。
【０１４４】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ(  ＲＯＭ、Ｒｅａｄ  Ｏｎｌｙ  Ｍｅｍｏｒｙ  )、磁気ディスク、光ディスク等のプログラムコードを記憶できる種々の媒体を用いることができる。このように、本発明の実施形態は、ハードウェアとソフトウェアのいかなる組み合わせにも限定されない。
【０１４５】
従って、本発明の実施例は、本発明の実施例によるデータスケジューリング方法を実行するように構成されたコンピュータプログラムを格納するコンピュータ記憶媒体をさらに提供する。  
以上、本発明の好ましい実施形態について説明したが、本発明はこれらの実施形態に限定されず、その要旨の範囲内で種々の変形及び変更が可能である。  
【図１】
2021512555.tif 000003
【図２】
2021512555.tif 000004
【図３】
2021512555.tif 000005
【図４】
2021512555.tif 000006
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
ユーザーデバイスに応用されるユーザーデバイスの測定パラメータの構成方法であって、
ネットワークにより構成されたフィルタ係数リストを取得することと、
測定対象の指示情報に基づいて、前記フィルタ係数リストから測定対象のフィルタ係数を取得するすることとを含み、
前記フィルタ係数リストは、１つ以上のフィルタ係数を含む
ことを特徴とするユーザーデバイスの測定パラメータの構成方法。
【請求項２】
前記フィルタ係数リストは、デフォルトのフィルタ係数の値を含む
ことを特徴とする請求項１に記載のユーザーデバイスの測定パラメータの構成方法。
【請求項３】
前記フィルタ係数リストからのフィルタ係数がデフォルトのフィルタ係数に等しくない場合、フィルタ係数インデックスを構成する
ことを特徴とする請求項２に記載のユーザーデバイスの測定パラメータの構成方法。
【請求項４】
前記ネットワークにより構成されたフィルタ係数リストを取得することは、
ネットワークにより構成された少なくとも１つフィルタ係数を取得することを含む
ことを特徴とする請求項１に記載のユーザーデバイスの測定パラメータの構成方法。
【請求項５】
前記測定対象の指示情報に基づいて、フィルタ係数リストから測定対象のフィルタ係数を取得するすることは、
測定対象の識別情報に基づいて、前記少なくとも１つフィルタ係数から選択して測定に利用する目標フィルタ係数を取得することを含む
ことを特徴とする請求項４に記載のユーザーデバイスの測定パラメータの構成方法。
【請求項６】
前記測定対象の指示情報に基づいて、フィルタ係数リストから測定対象のフィルタ係数を取得するすることは、
測定対象の識別情報に基づいて、フィルタ係数リストから選択して測定に利用するフィルタ係数を取得することを含む
ことを特徴とする請求項１に記載のユーザーデバイスの測定パラメータの構成方法。
【請求項７】
第１の通信ユニットと、第１の処理ユニットとを備えるユーザーデバイスであって、
前記第１の通信ユニットは、ネットワークにより構成されたフィルタ係数リストを取得するように構成され、
前記第１の処理ユニットは、測定対象の指示情報に基づいて、前記フィルタ係数リストから測定対象のフィルタ係数を取得するするように構成され、
前記フィルタ係数リストは、１つ以上のフィルタ係数を含む
ことを特徴とするユーザーデバイス。
【請求項８】
前記フィルタ係数リストは、デフォルトのフィルタ係数の値を少なくとも含む
ことを特徴とする請求項７に記載のユーザーデバイス。
【請求項９】
構成ユニットをさらに含み、
前記構成ユニットは、前記フィルタ係数リストからのフィルタ係数がデフォルトのフィルタ係数に等しくない場合、フィルタ係数インデックスを構成するように構成される
ことを特徴とする請求項８に記載のユーザーデバイス。
【請求項１０】
前記第１の通信ユニットは、
ネットワークにより構成された少なくとも１つフィルタ係数を取得するように構成される
ことを特徴とする請求項７に記載のユーザーデバイス。
【請求項１１】
前記第１の通信ユニットは、測定対象の識別情報に基づいて、前記少なくとも１つフィルタ係数から選択して測定に利用する目標フィルタ係数を取得するように構成される
ことを特徴とする請求項１０に記載のユーザーデバイス。
【請求項１２】
前記第１の処理ユニットは、
測定対象の識別情報に基づいて、フィルタ係数リストから選択して測定に利用するフィルタ係数を取得するように構成される
ことを特徴とする請求項７に記載のユーザーデバイス。
【請求項１３】
請求項１〜６のいずれか１項に記載の方法のステップを実行するコンピュータ実行可能命令を記憶した
ことを特徴とするコンピュータ記憶媒体。
【国際調査報告】
2021512555.tif 000007
2021512555.tif 000008
2021512555.tif 000009
2021512555.tif 000010